(57)【要約】【課題】  キャビネット間の隙間を簡単に塞ぐことができ意匠性及び施工性の向上が図れるシステムキッチンを提供する。【解決手段】  少なくとも３個のキャビネット２ａ，２ｂ，２ｃを横並びに連結して設置し、両端に位置するキャビネット２ｂ，２ｃの外側面にサイドパネル３，３を固定し、両サイドパネル３，３を含むキャビネット２ａ，２ｂ，２ｃ上にトップカウンター４を載置し、該トップカウンター４は両端のキャビネット２ｂ，２ｃよりも上方に突出した両サイドパネル３，３の突出部間に介在される前縁部材５を有するシステムキッチン１であって、両端のキャビネット２ｂ，２ｃと中間のキャビネット２ａとの間に生じる隙間ｓを隠すために、隣り合うキャビネット２ａ，２ｂ又は２ａ，２ｃの側板６，６の前縁部間に隙間隠し部材２３を設けている。【選択図】図８
2007301022.tif 000002
【特許請求の範囲】
【請求項１】
少なくとも３個のキャビネットを横並びに連結して設置し、両端に位置するキャビネットの外側面にサイドパネルを固定し、両サイドパネルを含むキャビネット上にトップカウンターを載置し、該トップカウンターは両端のキャビネットよりも上方に突出した両サイドパネルの突出部間に介在される前縁部材を有するシステムキッチンであって、両端のキャビネットと中間のキャビネットとの間に生じる隙間を隠すために、隣り合うキャビネットの側板の前縁部間に隙間隠し部材を設けたことを特徴とするシステムキッチン。
【発明の詳細な説明】
【技術分野】
【０００１】
本発明は、システムキッチンに係り、特に隣り合うキャビネット間に生じる隙間を隠す技術に関するものである。
【背景技術】
【０００２】
システムキッチンとしては、図６に示すように少なくとも３個のキャビネット２ａ，２ｂ，２ｃを横並びに連結して設置し、両端に位置するキャビネット２ｂ，２ｃの外側面にサイドパネル３，３を配置し、両サイドパネル３，３を含むキャビネット２ａ，２ｂ，２ｃ上にトップカウンター４を載置し、該トップカウンター４は両端のキャビネット２ｂ，２ｃよりも上方に突出した両サイドパネル３，３の突出部間に介在される前縁部材５を有する構成のものが開発段階にある。このようなシステムキッチンにおいては、その構成品（キャビネットや前縁部材等）が工場量産品としてそれぞれ寸法公差を有しているため、前縁部材５の全長と複数のキャビネット２ａ，２ｂ，２ｃの連結後の全長とは合致しにくい。
【０００３】
前縁部材５の全長よりも複数のキャビネット２ａ，２ｂ，２ｃの連結後の全長の方が長いと、トップカウンター４よりもサイドパネル３，３が側方へ突出する形になり、商品価値が落ちてしまうため、前縁部材５の全長よりも複数のキャビネット２ａ，２ｂ，２ｃの連結後の全長の方が若干短めに設計される。このため、上記システムキッチンにおいては、両端のキャビネット２ｂ，２ｃを中央のキャビネット２ａ側に寄せて設置した場合、図１２に示すように端のキャビネット２ｂとサイドパネル３との間に隙間ｓが発生する場合がある。このような隙間が発生した場合の対処の仕方としては、隙間をそのままにしておく方法と、コーキング材により隙間を塞ぐ方法とがある。
【０００４】
【特許文献１】特開平７−２８９３６４号公報
【発明の開示】
【発明が解決しようとする課題】
【０００５】
しかしながら、隙間をそのままにしておく方法にあっては、意匠性（見栄え）が悪く、また、隙間をコーキング材で塞ぐ方法にあっては、施工時の工数が増大する問題がある。なお、関連する技術としては、特許文献１に記載されているようにキャビネットと室内壁面との間の隙間を塞ぐために、キャビネットの前側縁に側方にフィラー部材の取付け板を設け、この取付け板に沿わせてフィラー部材を取付けたものが提案されているが、この技術はそもそも大きな隙間を前提としているため、キャビネット間の小さな隙間には適用することが難しい。
【０００６】
本発明は、上述した従来の技術が有する課題を解消し、キャビネット間の隙間を簡単に塞ぐことができ、意匠性及び施工性の向上が図れるシステムキッチンを提供することを目的とする。
【課題を解決するための手段】
【０００７】
本発明は、少なくとも３個のキャビネットを横並びに連結して設置し、両端に位置するキャビネットの外側面にサイドパネルを固定し、両サイドパネルを含むキャビネット上にトップカウンターを載置し、該トップカウンターは両端のキャビネットよりも上方に突出した両サイドパネルの突出部間に介在される前縁部材を有するシステムキッチンであって、両端のキャビネットと中間のキャビネットとの間に生じる隙間を隠すために、隣り合うキャビネットの側板の前縁部間に隙間隠し部材を設けたことを特徴とする。
【発明の効果】
【０００８】
本発明によれば、少なくとも３個のキャビネットを横並びに連結して設置し、両端に位置するキャビネットの外側面にサイドパネルを固定し、両サイドパネルを含むキャビネット上にトップカウンターを載置し、該トップカウンターは両端のキャビネットよりも上方に突出した両サイドパネルの突出部間に介在される前縁部材を有するシステムキッチンであって、両端のキャビネットと中間のキャビネットとの間に生じる隙間を隠すために、隣り合うキャビネットの側板の前縁部間に隙間隠し部材を設けているため、キャビネット間の隙間を簡単に塞ぐことができ、意匠性及び施工性の向上が図れる。
【発明を実施するための最良の形態】
【０００９】
以下に、本発明を実施するための最良の形態を添付図面に基いて詳述する。
【００１０】
図１、図６ないし図７に示すように、本実施の形態のシステムキッチン１は、少なくとも３個のキャビネット２ａ，２ｂ，２ｃを横並びに連結して設置し、両端に位置するキャビネット２ｂ，２ｃの外側面にサイドパネル３，３を固定し、両サイドパネル３，３を含むキャビネット２ａ，２ｂ，２ｃ上にトップカウンター４を載置し、該トップカウンター４は両端のキャビネット２ｂ，２ｃよりも上方に突出した両サイドパネル３，３の突出部間に介在される前縁部材５を有する構成とされている。
【００１１】
各キャビネット２ａ，２ｂ，２ｃは、図２〜図５に示すように、左右両側に配置された側板６，６と、両側板６，６の下端部間に設けられた底板７と、両側板６，６の後端部間に設けられた背板８と、両側板６，６の前端上部間に設けられた横連結材９とから主に構成されている。中央のキャビネット２ａには、上段、中段及び下段に引き出し状の収納部１０ａ，１０ｂ，１０ｃを備えている。右端のキャビネット２ｃは、上段にシンク（流し台）１１を収容する収容部１２ａを備え、中段及び下段に引き出し状の収納部（図示省略）を備えている。左端のキャビネット２ｂは、上段に加熱調理器例えばガス台１３を収容する収容部１４ａを備え、中段及び下段に引き出し状の収納部（図示省略）を備えている。
【００１２】
上記側板６、底板７、背板８、横連結材９は、例えばアルミニウム合金の押出形材からなっている。この場合、側板６、底板７、背板８は、それぞれ複数に分割されていてもよい。側板６は前後方向に複数例えば２つに分割され、底板７は前後方向に複数例えば２つに分割され、背板８は上下方向に複数例えば２つに分割されている。なお、底板７の後縁部と背板８の下縁部との間には断面逆Ｌ字状の連結板１５が連結されている。背板８には点検口１６が設けられている。この場合、背板８を上下に２分割し、上背板８ａと下背板８ｂを上下に離して配置することにより点検口１６が形成されている。
【００１３】
図９（ａ）〜（ｄ）に示すように、この点検口１６には点検口パネル１７が内側からけんどん式に着脱可能に取付けられている。点検口パネル１７の上端部と下端部とを上下けんどん式に挿入するために、上背板８ａの下縁部には断面略逆Ｕ字状の溝１８ａが形成され、下背板８ｂの上縁部には断面略Ｕ字状の溝１８ｂが形成されている。側板６においては、図８に示すように２つに分割された側板構成部材６ａ，６ｂを互いに接続するために、断面Ｃ字状の凹部１９ａと断面Ｔ字状の凸部１９ｂとを長手方向から嵌合させる継ぎ手構造が採用されている。
【００１４】
上記各収納部１０ａ，１０ｂ，１０ｃの前面部は、キャビネット２ａ，２ｂ，２ｃの前面開口部を閉塞する扉１０ａｄ，１０ｂｄ，１０ｃｄ，１２ｂｄ，１２ｃｄ，１４ｂｄ，１４ｃｄになっている。上段収納部１０ａの扉１０ａｄの下縁部、中段収納部１０ｂ，１２ｂ，１４ｂの扉１０ｂｄ，１２ｂｄ，１４ｂｄの上縁部及び下段収納部１０ｃ，１２ｃ，１４ｃの扉１０ｃｄ，１２ｃｄ，１４ｃｄの上縁部には、それぞれ把手２０ａ，２０ｂ，２０ｃが設けられている。
【００１５】
隣り合うキャビネット２ａ，２ｂ又は２ａ，２ｃには、上段収納部１０ａの扉１０ａｄの下縁部と中段収納部１０ｂの扉１０ｂｄの上縁部との間の後側に位置させて左右方向に連続した断面Ｃ字状のカバー材２１が横架されている。隣り合うキャビネット２ａ，２ｂ，２ｃの側板６には上記カバー材２１が着脱可能に嵌合する溝２２が形成されている。右端のキャビネット２ｃの上段部前面には扉１０ａｄと同材質のカバー材１２ａｘが取付けられている。なお、１４ａｘはガス台１３の操作部である。上記トップカウンター４には、シンク１１が工場生産時に予め取付けられており、ガス台１３はトップカウンター４の施工後に設置される。
【００１６】
前縁部材５は、工場生産時に予め接着剤等によりトップカウンター４の前縁下面部に接合されている。この前縁部材５の全長と両端のサイドパネル３，３間の内寸法は、一致させなければならない。この場合、前縁部材５の全長よりも複数のキャビネット２ａ，２ｂ，２ｃの連結後の全長の方が若干短めに設計されているため、両端のキャビネット２ｂ，２ｃを中央のキャビネット２ａ側に寄せると両端のキャビネット２ｂ，２ｃとサイドパネル３との間に隙間が発生して意匠性が悪くなる。このため、両端のキャビネット２ｂ，２ｃは、図６に示すように両端のサイドパネル３側に寄せて設置されている。
【００１７】
具体的には、両端に配置されるキャビネット２ｂ，２ｃの外側面にサイドパネル３，３が固定されている。これにより、両端のキャビネット２ｂ，２ｃとサイドパネル３との間には隙間が形成されないが、両端のキャビネット２ｂ，２ｃと中央のキャビネット２ａとの間には隙間ｓが発生する場合がある。そこで、上記隙間ｓを隠すために、隣り合うキャビネット２ａ，２ｂ又は２ａ，２ｃの側板６，６の前縁部６ｅ，６ｅ間には隙間隠し部材２３が設けられている。
【００１８】
側板６の前端部は、図８に示すように断面略Ｌ字状に形成されている。上記側板構成部材６ａは、前端部、中間部及び後端部に外側方に直角に突出したフランジ状の前縁部６ｅ，中間縁部６ｆ，後縁部６ｇが形成されており、左右に隣り合う側板構成部材６ａ，６ａにおいては、これら縁部６ｅ，６ｆ，６ｇ同士が対向している。上記隣り合うキャビネットの側板６の前縁部６ｅ，６ｅ間に隙間隠し部材２３が取付けられている。この隙間隠し部材２３は、断面略工状に形成されている。すなわち、この隙間隠し部材２３は、対向する前縁部６ｅ，６ｅの前面に跨って配置される前面覆い部２３ａと、同前縁部６ｅ，６ｅの後面に跨って配置される後面覆い部２３ｂと、これら前面覆い部２３ａと後面覆い部２３ｂとをつなぐつなぎ部２３ｃとを有している。つなぎ部２３ｃが、隣り合う前縁部６ｅ，６ｅ間の隙間ｓにその長手方向から挿入されている。
【００１９】
上記隙間隠し部材２３は、例えば金属製の側板と略同色の樹脂により形成されていることが好ましい。なお、図８に示すように側板６の前端部には扉（例えば１０ｂｄ）との間を封止するパッキン２４が取付けられている。隣り合うキャビネット２ａ，２ｂの扉１０ｂｄ，１４ｂｄ間には隙間Ｓａが存在しているが、この隙間Ｓａからは隙間隠し部材２３が見えるだけであり、扉（例えば１０ｂｄ）を開けた場合、側板６の前端部が露出するが、隙間ｓが側板と同色の隙間隠し部材２３で覆われているため、隙間ｓが露出することが無く、また隙間隠し部材２３の存在も分からず、意匠性の向上が図れる。
【００２０】
次に、上記システムキッチン１の組立方法について説明する。先ず、室内の所定位置に少なくとも３個のキャビネット２ａ，２ｂ，２ｃを横並びで設置し、両端に位置するキャビネット２ｂ，２ｃの外側面にサイドパネル３，３をそれぞれ固定する。次に、３個のキャビネット２ａ，２ｂ，２ｃを連結具（連結ボルト）で仮連結する。この仮連結の際に、隣り合うキャビネット２ａ，２ｂ及び２ａ、２ｃの側板６，６の前端縁部６ｅ，６ｅ間に上記隙間隠し部材２３を隙間ｓに沿って挿入することにより取付ける。次に、前縁部材５を一体的に有するトップカウンター４を両端のサイドパネル３，３を含むキャビネット２ａ，２ｂ，２ｃ上に載置し、位置出し後、全てを本連結すればよい。
【００２１】
このように少なくとも３個のキャビネット２ａ，２ｂ，２ｃを横並びに連結して設置し、両端に位置するキャビネット２ｂ，２ｃの外側面にサイドパネル３，３を固定し、両サイドパネル３，３を含むキャビネット２ａ，２ｂ，２ｃ上にトップカウンター４を載置し、該トップカウンター４は両端のキャビネット２ｂ，２ｃよりも上方に突出した両サイドパネル３，３の突出部間に介在される前縁部材５を有するシステムキッチン１であって、両端のキャビネット２ｂ，２ｃと中間のキャビネット２ａとの間に生じる隙間ｓを隠すために、隣り合うキャビネット２ａ，２ｂ又は２ａ，２ｃの側板６，６の前縁部６ｅ，６ｅ間に隙間隠し部材２３を設けているため、キャビネット２ａ，２ｂ又は２ａ，２ｃ間の隙間ｓを簡単に塞ぐことができ意匠性及び施工性の向上が図れる。
【００２２】
特に、上記隙間隠し部材２３は、断面略工状に形成されているため、隙間ｓへの取付けが容易にできると共に、隙間ｓの大きさに係わらずその隙間ｓを確実且つ容易に覆い隠すことができる。また、隙間隠し部材２３は、その形状からも分かるように構造が簡単であり、製造も容易でコストの低減が図れる。
【００２３】
図１０は本発明の他の実施の形態を示す要部平面断面図である。本実施の形態において、前記実施の形態と同一部分は同一符号を付して説明を省略する。本実施の形態においては、隣り合うキャビネット２ａ，２ｂ又は２ａ，２ｃの側板６，６の一方の前縁部６ｅに隙間隠し部材２３が隙間ｓの幅方向（左右方向）にスライド可能に設けられている。上記側板６の前縁部６ｅは後方に突出した凸部２６を有する断面Ｌ字状に形成されており、この前縁部６ｅを覆い包むように隙間隠し部材２３は角形状の断面略Ｃ字状ないし断面略Ｕ字状に形成されている。この隙間隠し部材２３には該隙間隠し部材２３を外側方へスライド移動させた時に上記凸部２６と引っ掛かるストッパー２７が形成されている。本実施の形態の隙間隠し部材２３によっても前記実施の形態の隙間隠し部材と同様の効果が得られる。
【００２４】
図１１は本発明の他の実施の形態を示す要部平面断面図である。本実施の形態において、前記実施の形態と同一部分は同一符号を付して説明を省略する。本実施の形態においては、木製のキャビネットが使用されており、隣り合うキャビネット２ａ，２ｂの木製の側板６，６において、その一方の側板６の前端部には板状の隙間隠し部材２３の基端部が両面テープ又は固着具２８で取付けられている。この隙間隠し部材２３は隣り合う側板６，６間の隙間ｓを覆うべく一方の側板６の前端部から他方の側板６の前端部に向って延出されている。隙間隠し部材２３の材質は問わない。隙間隠し部材２３は、隙間ｓの大きさに係らず変形することなく隙間を覆い隠すことができ、前記実施の形態と同様の効果が得られる。
【００２５】
以上、本発明の実施の形態を図面により詳述してきたが、本発明は前記実施の形態に限定されるものではなく、本発明の要旨を逸脱しない範囲での種々の設計変更が可能である。隙間隠し部材は、樹脂製であることが好ましいが、金属製（例えばアルミ押出形材）であってもよい。
【図面の簡単な説明】
【００２６】
【図１】本発明の実施の形態であるシステムキッチンを概略的に示す斜視図である。
【図２】同システムキッチンの一部省略分解斜視図である。
【図３】同システムキッチンの一部省略分解正面図である。
【図４】中間のキャビネットの側面断面図である。
【図５】中間のキャビネットの平面断面図である。
【図６】システムキッチンの概略的正面図である。
【図７】図６のＡ部拡大図である。
【図８】図６のＢ−Ｂ線断面図である。
【図９】キャビネット背面部の点検口パネルの装着方法を説明する図である。
【図１０】本発明の他の実施の形態を示す要部平面断面図である。
【図１１】本発明の他の実施の形態を示す要部平面断面図である。
【図１２】システムキッチンの問題点を説明する図である。
【符号の説明】
【００２７】
１  システムキッチン
２ａ，２ｂ，２ｃ  キャビネット
３  サイドパネル
４  トップカウンター
５  前縁部材
６  側板
２３  隙間隠し部材
【図１】
2007301022.tif 000003
【図２】
2007301022.tif 000004
【図３】
2007301022.tif 000005
【図４】
2007301022.tif 000006
【図５】
2007301022.tif 000007
【図６】
2007301022.tif 000008
【図７】
2007301022.tif 000009
【図８】
2007301022.tif 000010
【図９】
2007301022.tif 000011
【図１０】
2007301022.tif 000012
【図１１】
2007301022.tif 000013
【図１２】
2007301022.tif 000014